(57)【要約】【課題】線材のみにより少ない工数で容易に製造することができる商品陳列用フック棒を提供する。【解決手段】１本の金属製の線材を曲折して、フック棒２とフック棒２の元部に形成される装着部３とが形成される。装着部３は、フック棒２の軸線と垂直な面を有する第１仮想垂直面と１１、第１仮想垂直面１１と平行に挿入空間をあけて配置された第２仮想垂直面１２と、挿入空間４の上水平面を形成する仮想上面１３と、を設けて形成される。挿入空間４の下側は下方に開口し、装着部３を被取付部１８に対し挿入空間４を上から嵌め込むように装着したとき、第１仮想垂直面１１、第２仮想垂直面１２、及び仮想上面１３が被取付部１８の外側面に沿って装着される。【選択図】図１
2016022270.tif 000002
【特許請求の範囲】
【請求項１】
商品陳列棚の被取付部に、先端を前に突き出して装着され、吊り下げ陳列用の商品を、フック棒に引っ掛けて陳列する棒状の商品陳列用フック棒において、
１本の金属製の線材を曲折して、フック棒と該フック棒の元部に形成される装着部とが一体に連続して形成され、
該装着部は、該フック棒の軸線と垂直な面を有する第１仮想垂直面と、該第１仮想垂直面と平行に挿入空間をあけて配置された第２仮想垂直面と、該第１仮想垂直面と該第２仮想垂直面間の上部に位置し、該挿入空間の上水平面を形成する仮想上面と、を設けるように該線材を曲折して形成され、
該挿入空間の下側は下方に開口し、該装着部を該被取付部に対し該挿入空間を上から嵌め込むように装着したとき、該第１仮想垂直面、該第２仮想垂直面、及び該仮想上面が該被取付部の外側面に沿って装着されることを特徴とする商品陳列用フック棒。
【請求項２】
前記第１仮想垂直面を形成する線材の第１曲折部は、該線材の末端部を正面視で略コ字状に曲折して形成され、前記第２仮想垂直面を形成する線材の第２曲折部は、該線材を正面視で略コ字状に曲折して形成され、前記仮想上面を形成する線材の第３曲折部と第４曲折部は、該第３曲折部が該線材を側面視で略Ｌ字状に曲折し、第４曲折部が該線材を側面視で略コ字状に曲折して形成されたことを特徴とする請求項１記載の商品陳列用フック棒。
【請求項３】
前記装着部の線材の末端部を該装着部から前方に突き出すように延設してアーム部が前記フック棒の上側に平行に形成され、該アーム部の先端に商品名などのカードを保持するカードホルダーが傾動可能に取り付けられたことを特徴とする請求項１記載の商品陳列用フック棒。
【発明の詳細な説明】
【技術分野】
【０００１】
本発明は、商品陳列棚の横棒などに、先端を前に突き出して装着され、吊り下げ陳列用の商品を、フック棒に引っ掛けて陳列する棒状の商品陳列用フック棒に関する。
【背景技術】
【０００２】
従来、商品陳列棚において、先端を前に突き出して装着され、吊り下げ陳列用の商品を、フック棒に引っ掛けて陳列する棒状の商品陳列用フック棒が、広く使用されている（下記特許文献１などを参照）。
【０００３】
この商品陳列用フック棒は、先端を上方に曲げたフック棒の元部に、金属板をコ字状に曲折して形成した装着部を固定して構成される。そして、商品陳列棚に装着して使用する場合、フック棒の元部の装着部を、商品陳列棚の横棒などに、上から嵌め込み、フック棒を前方に突き出すようにして取り付け、使用される。
【先行技術文献】
【特許文献】
【０００４】
【特許文献１】特開２００１−１３７０８８号公報
【発明の概要】
【発明が解決しようとする課題】
【０００５】
しかしながら、この種の従来の商品陳列用フック棒は、フック棒が金属線材によって形成され、その元部の装着部は、金属板をコ字状に曲折して形成され、そのフック棒の元部に、金属板製の装着部を溶接により固定して製造される。
【０００６】
このため、製造時には、フック棒と装着部の２部品を別個に製作する必要があり、さらに、これらの２部品を正確な位置と姿勢で溶接する必要があった。また、フック棒と装着部とを溶接する溶接工程は、線材（丸棒）の元部を、コ字状に曲折した金属板の装着部の平面に、正確に位置決めして溶接する必要があり、溶接工程の工数が予想以上にかかり、また、溶接不良の検査にも工数を必要とし、製造コストを押し上げていた。
【０００７】
本発明は、上記の点に鑑みなされたもので、線材のみにより少ない工数で容易に製造することができる商品陳列用フック棒を提供することを目的とする。
【課題を解決するための手段】
【０００８】
上記の目的を達成する本発明の商品陳列用フック棒は、商品陳列棚の被取付部に、先端を前に突き出して装着され、吊り下げ陳列用の商品を、フック棒に引っ掛けて陳列する棒状の商品陳列用フック棒において、
１本の金属製の線材を曲折して、フック棒と該フック棒の元部に形成される装着部とが形成され、
該装着部は、該フック棒の軸線と垂直な面を有する第１仮想垂直面と、該第１仮想垂直面と平行に挿入空間をあけて配置された第２仮想垂直面と、該第１仮想垂直面と該第２仮想垂直面間の上部に位置し、該挿入空間の上水平面を形成する仮想上面と、を設けるように該線材を曲折して形成され、
該挿入空間の下側は下方に開口し、該装着部を該被取付部に対し該挿入空間を上から嵌め込むように装着したとき、該第１仮想垂直面、該第２仮想垂直面、及び該仮想上面が該被取付部の外側面に沿って装着されることを特徴とする。
【０００９】
この発明によれば、フック棒と装着部からなる商品陳列用フック棒を、１本の線材のみを使用し、且つ該線材を曲げ加工する工程のみで、非常に簡単に、少ない工数で製造することができる。特に、従来のように金属板を曲折して形成した装着部に、フック棒の元部を溶接する溶接工程が不要となるため、工数が削減されて製造が容易となり、溶接の検査工程も不要となり、製造コストを大幅に削減することができる。
【００１０】
ここで、上記第１仮想垂直面を形成する線材の第１曲折部は、該線材の末端部を正面視で略コ字状に曲折して形成することができる。また、上記第２仮想垂直面を形成する線材の第２曲折部は、該線材を正面視で略コ字状に曲折して形成することができる。また、上記仮想上面を形成する線材の第３曲折部と第４曲折部は、該第３曲折部が該線材を側面視で略Ｌ字状に曲折し、第４曲折部は該線材を側面視で略コ字状に曲折して形成することができる。
【００１１】
これによれば、１本の線材を用いて、その先端から所定の長さ部分を順に略９０°づつ所定の方向に曲げ加工すれば、フック棒と装着部とを一体に、且つ簡単に製作することができる。
【００１２】
またここで、上記装着部の線材の末端部を該装着部から前方に突き出すように延設してアーム部が上記フック棒の上側に平行に形成され、該アーム部の先端に商品名などのカードを保持するカードホルダーを傾動可能に取り付けることができる。これによれば、フック棒、装着部とともにカードホルダー用のアーム部を、１本の線材の曲げ加工により形成することができる。
【発明の効果】
【００１３】
本発明によれば、商品陳列用フック棒を、線材のみにより、少ない工数で容易に、低コストで製造することができる。
【図面の簡単な説明】
【００１４】
【図１】本発明の第１実施形態の商品陳列用フック棒の斜視図である。
【図２】同商品陳列用フック棒の左側面図である。
【図３】同商品陳列用フック棒の平面図である。
【図４】同商品陳列用フック棒の背面図である。
【図５】使用状態を示す斜視図である。
【図６】第２実施形態の商品陳列用フック棒の斜視図である。
【図７】第２実施形態の商品陳列用フック棒の背面斜視図である。
【図８】第３実施形態の商品陳列用フック棒の斜視図である。
【図９】第３実施形態の商品陳列用フック棒の背面斜視図である。
【図１０】第４実施形態の商品陳列用フック棒の斜視図である。
【図１１】第４実施形態の商品陳列用フック棒の背面斜視図である。
【図１２】第５実施形態の商品陳列用フック棒の斜視図である。
【図１３】第５実施形態の商品陳列用フック棒の背面斜視図である。
【発明を実施するための形態】
【００１５】
以下、本発明の一実施形態を図面に基づいて説明する。図１〜図５は、第１実施形態の商品陳列用フック棒１を示している。この商品陳列用フック棒１は、商品陳列棚の被取付部１８に、先端を前に突き出して装着され、吊り下げ陳列用の商品を、フック棒２に引っ掛けて陳列する棒状の商品陳列用フック棒である。
【００１６】
図１に示すように、この商品陳列用フック棒１は、１本の金属製の線材を曲折して、フック棒２とフック棒２の元部に形成される装着部３とが連続して一体に形成される。
【００１７】
商品陳列用フック棒１の装着部３は、陳列棚の横枠などの被取付部１８に対し、装着部３の内側に設けた挿入空間４を上から嵌め込むように装着可能な形状に、１本の線材を曲げ加工して形成される。線材としては、例えば直径６ｍｍのステンレス棒、スチール棒などを使用することができ、このような線材を使用すれば、十分な耐曲げ荷重を有し、多くの吊り下げ商品の荷重を保持することができる。
【００１８】
装着部３は、図１に示すように、第１仮想垂直面１１、第２仮想垂直面１２、及び仮想上面１３が被取付部１８の外側面に沿って装着されるようにし、フック棒２の軸線Ｓと垂直な面を有する第１仮想垂直面１１と、第１仮想垂直面１１と平行に挿入空間４をおいて配置された第２仮想垂直面１２と、第１仮想垂直面１１と第２仮想垂直面１２間の上部に位置し、挿入空間４の上水平面を形成する仮想上面１３と、を設けるように１本の線材を曲折して形成される。挿入空間４の下面は下方に開口し、装着部３を陳列棚の横枠など、横断面を方形とする被取付部１８に、その上から嵌め込むことができる形態に装着部３は形成される。
【００１９】
具体的には、１本の線材を曲げ加工する場合、図１に示すように、先ず、線材の末端部を、正面視で上方を開口した略コ字状に曲折して第１曲折部５を形成し、第１曲折部５の右側端部を上方に延設させ、当該部分を背面側に直角に曲折して第４曲折部８を形成する。
【００２０】
次に第４曲折部８を下側に直角に曲折し、側面視で下側に開口した略コ字状形状に曲折する。さらに、その背面側端部を背面視で上方に開口した略コ字状に曲折して第２曲折部６を形成する。次に、第２曲折部６の背面視右側部（正面視左側部）を前方に直角に曲折して第３曲折部７を形成する。そして、第３曲折部７の端部を直線状に前方に延設してフック棒２を形成し、フック棒２の先端部９は斜め上方に曲げて形成される。
【００２１】
これにより、図１に示すように、装着部３には、略コ字状に曲折された第１曲折部５によって第１仮想垂直面１１が形成され、略コ字状に曲折された第２曲折部６によって第２仮想垂直面１２が形成され、略Ｌ字状に曲折された第３曲折部７と略コ字状に曲折された第４曲折部８によって仮想上面１３が形成される。装着部３の下側は開口し、第１仮想垂直面１１と第２仮想垂直面１２との間に挿入空間４が形成され、その間隔は、図６に示すように、被取付部１８の横断方向の幅とほぼ同じとされ、これにより、装着部３を被取付部１８に上から嵌め込むように取り付けることができる。
【００２２】
このように、上記構成の商品陳列用フック棒１は、１本の線材を用いて、その先端から所定の長さ部分を順に略９０°づつ所定の方向に曲げ加工すれば、フック棒２と装着部３とを一体に製作することができる。また、上記のように、装着部３の下側を開口した挿入空間４には、その前面に第１仮想垂直面１１が形成され、その背面に第２仮想垂直面１２が形成され、その上には仮想上面１３が形成されるので、商品陳列用フック棒１は、その装着部３を、方形断面を有した被取付部１８に上から嵌め込むように簡単に装着することができる。
【００２３】
被取付部１８は、図５に示すように、例えば商品陳列棚の支柱１９間に、水平横方向に横枠として取り付けられる。被取付部１８の横断面は、上記装着部３の挿入空間４の大きさ及び形状と略同じ長方形に形成される。このため、上記構成の商品陳列用フック棒１は、フック棒２を前方に向け、装着部３を被取付部１８に上から嵌め込むように装着すれば、簡単に取り付けることができる。
【００２４】
このとき、装着部３の第１仮想垂直面１１は、被取付部１８の正面に沿って装着され、第２仮想垂直面１２は、被取付部１８の背面に沿って装着され、仮想上面１３は、被取付部１８の上面に沿って装着され、商品陳列用フック棒１は、被取付部１８に対し、その水平状態を確実に保持して取り付けることができる。
【００２５】
このように、商品陳列用フック棒１は、１本の線材のみを使用して、フック棒２と装着部３が一体に形成され、線材を曲げ加工する工程のみで、非常に簡単に、少ない工数で製造することができ、特に、従来のように金属板を曲折して形成した装着部に、フック棒の元部を溶接する溶接工程が不要となるため、工数が削減されて製造が容易となり、溶接の検査工程も不要となり、製造コストを大幅に削減することができる。
【００２６】
図６、７は、第２実施形態の商品陳列用フック棒１Ａを示し、この第２実施形態の商品陳列用フック棒１Ａは、上記第１実施形態の商品陳列用フック棒１における装着部３の末端部を上方まで延設し、さらに、第２曲折部６Ａは背面視で略Ｕ字状に形成されている。
【００２７】
この商品陳列用フック棒１Ａは、上記と同様、１本の線材を曲げ加工して形成することができ、図６に示すように、先ず、線材の末端部を、正面視で上方を開口した略コ字状に曲折して第１曲折部５Ａを上下に長く形成し、第１曲折部５Ａの右側端部を上方に延設させ、当該部分を背面側に直角に曲折して第４曲折部８Ａを形成する。
【００２８】
次に第４曲折部８Ａを下側に直角に曲折し、側面視で下側に開口した略コ字状に曲折する。さらに、その背面側端部を背面視で上方に開口した略Ｕ字状に曲折して第２曲折部６Ａを、上記第１曲折部５Ａより短く形成する。なお、この第２曲折部６Ａは背面視で右側部が僅かに内側に入るように傾斜する形状に曲折され、フック棒２が装着部３Ａの正面視で略中央に位置するようにしている。
【００２９】
次に、第２曲折部６Ａの背面視右側部（正面視左側部）を前方に略直角に（略Ｌ字状に）曲折して第３曲折部７Ａを形成する。そして、第３曲折部７Ａの端部を直線状に前方に延設してフック棒２を形成し、フック棒２の先端部９は斜め上方に曲げて形成される。このＬ字状の第３曲折部７Ａとコ字状の第４曲折部８Ａとにより、その内側にそれらを上面とし下側を開口する挿入空間４Ａが形成される。
【００３０】
このように、図６の形状の商品陳列用フック棒１Ａであっても、１本の線材のみを使用して、フック棒２と装着部３Ａを一体に形成することができ、線材を曲げ加工する工程のみで、商品陳列用フック棒１Ａを簡単に製作することができる。
【００３１】
この商品陳列用フック棒１Ａは、図６，７に示す如く、装着部３Ａにおいて、略上向きコ字状に曲折された第１曲折部５Ａの内側に、第１仮想垂直面が形成され、略上向きコ字状に曲折された第２曲折部６Ａの内側に、第２仮想垂直面が形成され、略Ｌ字状に曲折された第３曲折部７Ａと略コ字状に曲折された第４曲折部８Ａの内側に、仮想上面が形成される。装着部３Ａの下側は開口し、第１仮想垂直面と第２仮想垂直面との間に挿入空間４Ａが形成され、これにより、装着部３Ａの挿入空間を、被取付部の上から嵌め込み取り付けることができる。
【００３２】
図８，９は第３実施形態の商品陳列用フック棒１Ｂを示している。この商品陳列用フック棒１Ｂの装着部３Ｂは、上記第２実施形態の装着部３Ａと同様に、装着部３Ｂの末端部を上方まで延設し、第１曲折部５Ｂは正面視で略Ｕ字状に形成され、さらに第２曲折部６Ｂは背面視で略Ｕ字状に形成される。
【００３３】
この商品陳列用フック棒１Ｂを製作する場合、１本の線材を曲げ加工して形成するが、図８，９に示すように、先ず、線材の末端部を、正面視で上方を開口した略Ｕ字状に曲折して第１曲折部５Ｂを形成し、第１曲折部５Ｂの右側端部を上方に延設させ、当該部分を背面側に直角に曲折して第４曲折部８Ｂを形成する。
【００３４】
次に第４曲折部８Ｂの背面側端部を下側に直角に曲折し、側面視で下側に開口した略コ字状形状に曲折する。さらに、その背面側端部を背面視で上方に開口した略Ｕ字状に曲折して第２曲折部６Ｂを形成する。次に、第２曲折部６Ｂの背面視右側部（正面視左側部）を略Ｌ字状に曲折して第３曲折部７Ｂを形成する。そして、第３曲折部７Ｂの端部を中央側に僅かに曲げた後、直線状に前方に延設してフック棒２を形成し、フック棒２の先端部９は斜め上方に曲げて形成される。このように、１本の線材のみを使用して、フック棒２と装着部３Ｂが一体に形成され、線材を曲げ加工する工程のみで、商品陳列用フック棒１Ｂを簡単に製作することができる。
【００３５】
この商品陳列用フック棒１Ｂは、図８，９に示す如く、装着部３Ｂにおいて、略Ｕ字状に曲折された第１曲折部５Ｂの内側に、第１仮想垂直面が形成され、略Ｕ字状に曲折された第２曲折部６Ｂの内側に、第２仮想垂直面が形成され、略Ｌ字状に曲折された第３曲折部７Ｂと略コ字状に曲折された第４曲折部８Ｂの内側に、仮想上面が形成される。装着部３Ｂの下側は開口し、第１仮想垂直面と第２仮想垂直面との間に挿入空間４Ｂが形成され、これにより、装着部３Ｂの挿入空間を、被取付部の上から嵌め込み取り付けることができる。
【００３６】
図１０，１１は第４実施形態の商品陳列用フック棒１Ｃを示している。この商品陳列用フック棒１Ｃは、フック棒２の元部が、装着部３Ｃの第１曲折部６Ｃの左端部から前方に突き出すように形成される。
【００３７】
この商品陳列用フック棒１Ｃを製作する場合、１本の線材を曲げ加工して形成するが、図１０，１１に示すように、先ず、線材の末端部を、正面視でＶ字状に曲折して第１曲折部５Ｃを形成し、次に、第１曲折部５Ｃの上端部を背面側に曲折し、側面視で下方を開口した略コ字状に線材を曲折して、第４曲折部８Ｃを形成する。次に、第４曲折部８Ｃの背面側端部を下側に直角に曲折し、側面視で下側に開口した略コ字状に曲折する。さらに、その背面側端部を背面視で上方に開口した略Ｖ字状に曲折して第２曲折部６Ｃを形成する。次に、第２曲折部６Ｃの背面視右側部（正面視左側部）を、側面視で略Ｌ字状に曲折して第３曲折部７Ｃを形成する。そして、第３曲折部７Ｃの端部を直線状に前方に延設してフック棒２を形成し、フック棒２の先端部９は斜め上方に曲げて形成される。このように、１本の線材のみを使用して、フック棒２と装着部３Ｃが一体に形成され、線材を曲げ加工する工程のみで、商品陳列用フック棒１Ｃを簡単に製作することができる。
【００３８】
この商品陳列用フック棒１Ｃは、図１０，１１に示す如く、装着部３Ｃにおいて、略Ｖ字状に曲折された第１曲折部５Ｃの内側に、第１仮想垂直面が形成され、略Ｖ字状に曲折された第２曲折部６Ｃの内側に、第２仮想垂直面が形成され、略Ｌ字状に曲折された第３曲折部７Ｃと略コ字状に曲折された第４曲折部８Ｃの内側に、仮想上面が形成される。装着部３Ｃの下側は開口し、第１仮想垂直面と第２仮想垂直面との間に挿入空間４Ｃが形成され、これにより、装着部３Ｃの挿入空間を、被取付部の上から嵌め込み取り付けることができる。
【００３９】
図１２，１３は第５実施形態の商品陳列用フック棒２１を示している。この商品陳列用フック棒２１は、フック棒２２の上側に、装着部２３の端部の線材からアーム部３１が延設され、アーム部３１の先端に、カードホルダー３２が傾動可能に取り付けられる。
【００４０】
この商品陳列用フック棒２１は、フック棒２２、装着部２３、及びカードホルダー用のアーム部３１を含め、１本の線材を曲げ加工して形成される。製作する場合、図１２，１３に示すように、先ず、線材の末端部を正面側に水平に延設してアーム部３１とし、アーム部３１の背面側端部を正面視で僅かに右側に曲げ、さらに下方にＬ字状に曲折して、装着部２３の第５曲折部３０が形成される。装着部２３は、第５曲折部３０の下端部を真下に延設した後、正面視で左側に曲折して略コ字状の第１曲折部２５を形成する。第１曲折部２５は、正面視で上方を開口した略コ字状に曲折して形成される。そして、第１曲折部２５の左側端部を上方に延設し、その上端を背面側に直角に曲折して第４曲折部２８を形成する。
【００４１】
次に、第４曲折部２８の背面側の端部を曲折して、正面視で上側を開口したコ字状の第２曲折部２６を背面側に形成し、第２曲折部２６の正面視で右側端部を前方にＬ字状に曲折して第３曲折部２７を形成し、その端部を前方に水平に延設してフック棒２２とし、フック棒２２に先端部２９を形成する。このように、１本の線材のみを使用して、フック棒２２、装着部２３及びアーム部３１が一体に形成され、線材を曲げ加工する工程のみで、商品陳列用フック棒２１を簡単に製作することができる。
【００４２】
この商品陳列用フック棒２１は、図１２，１３に示す如く、装着部２３において、上向きコ字状に曲折された第１曲折部２５の内側に、第１仮想垂直面が形成され、上向きコ字状に曲折された第２曲折部２６の内側に、第２仮想垂直面が形成される。さらに、略Ｌ字状に曲折された第３曲折部２７と下向きコ字状に曲折された第４曲折部２８の内側に、仮想上面が形成される。そして、装着部２３の下部が下側に向けて開口することにより、第１仮想垂直面と第２仮想垂直面との間に挿入空間２４が形成され、これにより、装着部２３の挿入空間２４を、被取付部の上から嵌め込み取り付けることができる。
【００４３】
また、フック棒２２の上側に、カードホルダー用のアーム部３１が一体に形成されるので、アーム部３１の先端にカードホルダー３２を取り付ければ、商品名、価格などを表示したカードを、カードホルダー３２に装着することができる。カードホルダー３２は、合成樹脂に形成され、アーム部３１の先端部に上下左右に傾動可能に装着され、透明合成樹脂の内側にカードを挿入して表示することができる。
【符号の説明】
【００４４】
１      商品陳列用フック棒
２      フック棒
３      装着部
４      挿入空間
５      第１曲折部
６      第２曲折部
７      第３曲折部
８      第４曲折部
９      先端部
１１    第１仮想垂直面
１２    第２仮想垂直面
１３    仮想上面
１８    被取付部
１９    支柱
２１    商品陳列用フック棒
２２    フック棒
２３    装着部
２４    挿入空間
２５    第１曲折部
２６    第２曲折部
２７    第３曲折部
２８    第４曲折部
２９    先端部
３０    第５曲折部
３１    アーム部
３２    カードホルダー
【図１】
2016022270.tif 000003
【図２】
2016022270.tif 000004
【図３】
2016022270.tif 000005
【図４】
2016022270.tif 000006
【図５】
2016022270.tif 000007
【図６】
2016022270.tif 000008
【図７】
2016022270.tif 000009
【図８】
2016022270.tif 000010
【図９】
2016022270.tif 000011
【図１０】
2016022270.tif 000012
【図１１】
2016022270.tif 000013
【図１２】
2016022270.tif 000014
【図１３】
2016022270.tif 000015